(57)【要約】【課題】フルカラー表示を行う発光装置と、照明装置では、用いる蒸着マスクの開口サイズが異なる。従って別々の蒸着マスクが必要であり、一度に大量の基板を処理する場合には、処理基板枚数に合わせて蒸着マスクを多数用意するため、装置全体のフットプリントが増大することを解決することを課題の一つとする。【解決手段】カラーフィルタと白色発光素子とを組み合わせることでフルカラーの表示装置を作製する。こうすることで、発光装置の製造ラインと、照明装置の製造ラインと、を一部共通させ、製造装置全体のフットプリントを削減する。【選択図】図１
2012186158.tif 000002
【特許請求の範囲】
【請求項１】
ロード室、
該ロード室に連結された搬送室、
該搬送室に連結され、互いに直列に連結された複数の蒸着室と、
該複数の蒸着室に連結され、バッチ式により保護層を形成するスパッタ室と、
該スパッタ室に連結され光学部材を貼りつけた基材を用いて発光素子の封止を行う封止室と、を有する製造装置。
【請求項２】
請求項１において、さらにターゲットの表面に対して基板の表面は、垂直な位置関係になるよう構成されている基板フォルダを有する製造装置。
【請求項３】
請求項１または請求項２において、前記複数の蒸着室は、発光物質を含む有機層を形成することを特徴とする製造装置。
【請求項４】
請求項１乃至３のいずれか一において、さらに、前記封止室に直列に連結された剥離室を有し、基板を剥離することを特徴とする製造装置。
【請求項５】
請求項１乃至４のいずれか一において、さらに、
前記封止室に直列に連結され、基板の一部を剥離することを特徴とした剥離室と、
前記基板の剥離された面に可撓性基材を貼り付けるための貼り合わせ室と、を有する製造装置。
【請求項６】
請求項１乃至５のいずれか一において、前記光学部材は、カラーフィルタまたはマイクロレンズアレイであることを特徴とする製造装置。
【発明の詳細な説明】
【技術分野】
【０００１】
本発明の一形態は、エレクトロルミネセンス（ＥＬ）を発現する発光部材を含む照明装置及び発光装置に関する。また、照明装置及び発光装置の作製に用いられる製造装置に関する。
【背景技術】
【０００２】
有機化合物を発光体として用いた発光素子は、次世代の照明への応用が期待されている。有機化合物を発光体として用いた発光素子は、低電圧、低消費電力駆動などの特徴を有している。
【０００３】
発光素子を構成するＥＬ層は、少なくとも発光層を有する。また、ＥＬ層は、発光層の他に、正孔注入層、正孔輸送層、電子輸送層、電子注入層などを有する積層構造とすることもできる。
【０００４】
発光素子の発光機構は、一対の電極間にＥＬ層を挟んで電圧を印加することにより、陰極から注入された電子および陽極から注入された正孔がＥＬ層の発光中心で再結合して分子励起子を形成し、その分子励起子が基底状態に緩和する際にエネルギーを放出して発光するといわれている。励起状態には一重項励起と三重項励起が知られ、発光はどちらの励起状態を経ても可能であると考えられている。
【０００５】
また、このような発光素子においては、一対の電極および発光層を膜状に形成するため、大面積の発光素子を形成することにより、面状の発光を容易に得ることができる。このことは、白熱電球やＬＥＤ（点光源）、あるいは蛍光灯（線光源）などの光源では得難い特色であるため、上述した発光素子は照明等の光源としての利用価値が高い。
【０００６】
また、薄型軽量、高速応答性、直流低電圧駆動などの特徴を有する有機化合物を発光体として用いた発光素子は、次世代のフラットパネルディスプレイへの応用が期待されている。特に、発光素子をマトリクス状に配置した表示装置は、視野角が広く視認性が優れている。
【０００７】
近年、フルカラー表示できるディスプレイを実現するため、様々な構成が提案されている。例えば、白色発光素子とカラーフィルタを組み合わせてフルカラー表示を行う構成や、赤色の発光層、緑色の発光層、青色の発光層の３つの発光層を並べてフルカラー表示を行う構成が検討されている。
【０００８】
また、赤色、緑色、青色に白色をいれた４色の画素を有する画素群で構成する有機発光デバイスは特許文献１に開示されている。
【０００９】
また、複数の異なる色に発光するＥＬ素子を有する発光装置において、少なくとも一つのＥＬ素子は、トリプレット化合物を有し、その他のＥＬ素子はシングレット化合物を有するカラー表示装置は特許文献２に開示されている。
【先行技術文献】
【特許文献】
【００１０】
【特許文献１】米国特許出願第２００２／０１８６２１４号明細書
【特許文献２】特開２００２−６２８２４号公報
【発明の概要】
【発明が解決しようとする課題】
【００１１】
フルカラー表示を行う発光装置は、赤色発光素子、青色発光素子、および緑色発光素子を複数並べて配置する場合、蒸着マスクを用いて選択的に成膜を行う。
【００１２】
また、照明装置は、複数の白色発光素子を並べて配置することとなる。複数の白色発光素子を形成する場合も、それぞれの発光層を選択的に成膜するため、蒸着マスクを用いる。
【００１３】
フルカラー表示を行う発光装置と、照明装置では、用いる蒸着マスクの開口サイズが異なる。従って別々の蒸着マスクが必要であり、一度に大量の基板を処理する場合には、処理基板枚数に合わせて蒸着マスクを多数用意することとなる。また、赤色発光素子、青色発光素子、および緑色発光素子を形成するための発光物質を含む有機層の形成は、混色を防ぐために別々の蒸着装置が必要であり、装置全体のフットプリントが増大する。また、蒸着装置には、蒸着室だけではなく、蒸着マスクの位置合わせのためのアライメント手段を設ける場所や、様々な蒸着マスクをストックするための場所も確保する必要があるため、装置全体のフットプリントが増大する。
【課題を解決するための手段】
【００１４】
カラーフィルタと白色発光素子とを組み合わせることでフルカラーの表示装置を作製することができる。こうすることで赤色発光素子形成用の蒸着マスク、青色発光素子形成用の蒸着マスク、および緑色発光素子形成用の蒸着マスクを用いることなく、フルカラーの表示装置を作製する。赤色発光素子形成用の蒸着マスク、青色発光素子形成用の蒸着マスク、および緑色発光素子形成用の蒸着マスクを用いる場合、位置合わせのマージンが必要であるため、隣り合う異なる発光領域との間隔が広くなる。一方、これらの蒸着マスクを用いないのであれば、位置合わせのマージンが不要となり、高精細化ができる。
【００１５】
また、蒸着膜が分断される逆テーパ形状またはＴ字形状の隔壁を利用することによって、発光物質を含む有機層を選択的に形成し、蒸着マスクを用いることなく、白色発光素子を形成し、照明装置及びフルカラーの表示装置を作製する。
【００１６】
従って、発光装置の製造ラインと、照明装置の製造ラインと、を一部共通させることができるようになる。一部共通化させることで、製造装置全体のフットプリントを削減する。
【００１７】
発光物質を含む有機層を形成する複数の蒸着室は、直列に連結し、インライン方式の製造装置とする。インライン方式の製造装置を用いれば、照明装置または表示装置の大面積化も可能である。各蒸着室間はゲートバルブで仕切られていてもよい。
【００１８】
本明細書で開示する本発明の一態様は、ロード室、該ロード室に連結された搬送室、該搬送室に直列に連結された複数の蒸着室と、バッチ式により保護層を形成するスパッタ室と、光学部材を貼りつけた基材を用いて発光素子の封止を行う封止室と、を有することを特徴とする製造装置である。
【００１９】
また、上記搬送室、蒸着室、スパッタ室、及び封止室の内部および間において、基板が通過または保管されている間、基板が大気にふれないように密閉されている。
【００２０】
また、可撓性基材の一つであるフレキシブルなフィルム基板を用いた表示装置や、照明装置も作製することができる。
【００２１】
フレキシブルなフィルム基板を用いた表示装置や、照明装置も作製する場合、さらに上記製造装置の封止室に連結する剥離室や、剥離室に連結する可撓性基材を貼り付けるための貼り合わせ室を設ければよい。
【発明の効果】
【００２２】
蒸着マスクを用いずに表示装置や、照明装置を作製することができる。また、蒸着マスクを用いないため、発光装置の製造と、照明装置の製造とを両方行う製造装置を提供することができる。
【図面の簡単な説明】
【００２３】
【図１】本発明の一態様を示す製造装置の上面図の一例である。
【図２】本発明の一態様を示すスパッタ室の一部を示す模式図である。
【図３】本発明の一態様を示す表示装置の上面図及び断面図の一例である。
【図４】本発明の一態様を示す有機層を示す断面図である。
【図５】本発明の一態様を示す成膜の様子を示す模式図と、照明装置の断面図の一例である。
【図６】本発明の一態様を示す製造装置の上面図の一例である。
【図７】本発明の一態様を示す表示装置の断面図の一例である。
【発明を実施するための形態】
【００２４】
以下では、本発明の実施の形態について図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。
【００２５】
（実施の形態１）
発光素子を作製し、発光素子の封止を行うまでのインライン方式の製造装置の上面図の一例を図１に示す。
【００２６】
トランジスタ、第１の電極層（反射電極）、及び隔壁が形成されている複数枚の基板を基板投入室（ロード室）にセットし、発光素子を形成し、封止を行って上方射出型の発光装置を作製するまでの流れを以下に簡略に説明する。
【００２７】
まず、用いる基板のサイズに合わせて基板投入室２２１、２２２、２２３のいずれか一に複数の基板をセットする。例えば、基板投入室２２１、２２２、２２３にセット可能な基板のサイズは、３００ｍｍ×３６０ｍｍ、６００ｍｍ×７２０ｍｍ、６２０ｍｍ×７５０ｍｍなどとする。
【００２８】
そして、搬送室２３６に設けられた搬送ロボットによりロードロック室２２５に基板を導入する。ロードロック室２２５では、前処理として基板に付着している水分などを除去する真空ベークなどを行う。
【００２９】
次いで、蒸着室２００内に基板を搬送し、蒸着を順次行う。図１では、１４個の蒸着室２００〜２１３が直列に接続されており、搬送された基板上に発光物質を含む有機層を適宜成膜する。
【００３０】
蒸着室で成膜を行う際、フェイスダウン方式（デポアップ方式ともいう）とすることが好ましく、基板は、被成膜面を下向きにしてセットされている。フェイスダウン方式とは、基板の被成膜面が下を向いた状態で成膜する方式をいい、この方式によればゴミの付着などを抑えることができる。
【００３１】
そして、蒸着を終えた基板は、搬送室２３９に搬送され、その後、搬送室２４０を経てスパッタ前室である搬送室２４１に導入される。
【００３２】
スパッタ前室である搬送室２４１では、基板の向きを変えて複数の基板とマスクを基板フォルダにセットし、且つ、スパッタ室内に複数の被処理基板を基板フォルダごと搬送する機構を有する。
【００３３】
また、搬送室２４１には、排気手段が接続され、搬送室２４１と連結しているスパッタ室内と同じ真空度となるように減圧が行われる。スパッタ室２１４、２１５、２１６のいずれか一で第２の電極層（透光性を有する電極）を形成する。第２の電極層としては、スパッタリングターゲットとしてアルミニウム、インジウム錫酸化物（以下、ＩＴＯと呼ぶ）や酸化シリコンを添加したインジウム錫酸化物を用いる。
【００３４】
スパッタ室２１４〜２１６の一つの構成例を図２に示す。なお、図２は、スパッタ室の内部に配置されている部材の位置関係を示す図である。図２に示すスパッタ室で成膜を行うことによって、発光物質を含む有機層へのスパッタダメージを抑制することができる。
【００３５】
スパッタ室内において、基板フォルダ１５の固定部材１４に固定された複数の基板１３を挟むように一対のスパッタリングターゲット１１、１２を配置する。即ち、図２に示すように、基板フォルダは、基板の表面に対してスパッタリングターゲット表面が概略垂直な位置関係となるように配置されている。
【００３６】
図２では、５枚の基板を１ユニットとして基板フォルダに収納し、基板フォルダごと図２中の矢印の方向に移動させて成膜を行う例を示している。基板フォルダを移動させる機構を設けることに限定されず、相対的に移動することができればよいため、一対のスパッタリングターゲットを移動させてもよいし、両方が移動できる機構としてもよい。
【００３７】
スパッタリング法を用いて成膜を行う成膜装置は、被処理基板を固定する基板フォルダと、スパッタリングターゲットを保持するターゲットフォルダと、ターゲットフォルダに保持されたスパッタリングターゲットに対応する電極とを有する真空ポンプなどの真空排気手段により減圧可能なスパッタ室と、その電極にスパッタリングのためのＤＣ電圧（またはＡＣ電圧）を印加する電力供給手段と、スパッタ室内にガスを供給するガス供給手段とを有している。
【００３８】
スパッタリング法は、スパッタ室内を真空装置によって減圧させた後、アルゴンなどの希ガスを導入し、被成膜基板を陽極、スパッタリングターゲットを陰極とし、被成膜基板とスパッタリングターゲットの間にグロー放電を興してプラズマを発生させる。そして、プラズマ中の陽イオンをスパッタリングターゲットに衝突させ、弾き飛ばされるスパッタリングターゲット成分の粒子を、被成膜基板に堆積させて材料膜を形成する。
【００３９】
被成膜基板に成膜される膜の膜厚は、スパッタリングターゲットとの距離に反比例する。
【００４０】
成膜する際には、スパッタリングターゲットの材料にもよるが、第１のスパッタリングターゲット１１と、第２のスパッタリングターゲット１２の間に直流（ＤＣ）または交流（ＡＣ）を印加する。また、基板は、フローティング電位、またはグラウンドなどの固定電位とする。
【００４１】
スパッタ室２１４、２１５、２１６で成膜を終えると、搬送室２４２に搬送される。
【００４２】
ここまでの段階で得られる基板断面図と、その上面図を図３に示す。
【００４３】
表示装置は、マトリクス状に複数配置された画素１０１と、画素１０１を囲む隔壁１１１（リブとも呼ぶ）を有する。明瞭化のため、図３（Ａ）には、画素には第１の電極層１０３と、第１の電極層１０３上に破線で囲って示した発光領域と、矩形の破線で示した第１のトランジスタ１２０が形成された領域、矩形の破線で示した第２のトランジスタ１１０が形成された領域を図示している。なお、第２のトランジスタ１１０のゲート電極は、保持容量と、第１のトランジスタ１２０のドレイン電極と電気的に接続されている。また、第２のトランジスタ１１０のドレイン電極は、第１の電極層１０３と電気的に接続されている。
【００４４】
図３（Ｂ）は、図３（Ａ）中に示す切断線Ｄ−Ｄ’、及び切断線Ｅ−Ｅ’における断面概略図である。断面Ｄ−Ｄ’は、画素１０１に設けられる第１のトランジスタ１２０、及び第２のトランジスタ１１０を含む領域の断面概略図であり、断面Ｅ−Ｅ’は、隣接する２つの画素１０１と、その間の隔壁１１１とを含む領域の断面概略図である。
【００４５】
第１のトランジスタ１２０は、下地絶縁層１２１上にゲート電極１２５と、ゲート電極１２５上にゲート絶縁層１３１と、ゲート絶縁層１３１上に酸化物半導体層１２３と、酸化物半導体層１２３と電気的に接続するドレイン電極１２７と、酸化物半導体層１２３と電気的に接続するソース電極１２９とを有している。
【００４６】
酸化物半導体層１２３としては、少なくともＩｎ、Ｇａ、Ｓｎ及びＺｎから選ばれた一種以上の元素を含有する。例えば、四元系金属の酸化物であるＩｎ−Ｓｎ−Ｇａ−Ｚｎ系酸化物半導体や、三元系金属の酸化物であるＩｎ−Ｇａ−Ｚｎ系酸化物半導体、Ｉｎ−Ｓｎ−Ｚｎ系酸化物半導体、Ｉｎ−Ａｌ−Ｚｎ系酸化物半導体、Ｓｎ−Ｇａ−Ｚｎ系酸化物半導体、Ａｌ−Ｇａ−Ｚｎ系酸化物半導体、Ｓｎ−Ａｌ−Ｚｎ系酸化物半導体や、二元系金属の酸化物であるＩｎ−Ｚｎ系酸化物半導体、Ｓｎ−Ｚｎ系酸化物半導体、Ａｌ−Ｚｎ系酸化物半導体、Ｚｎ−Ｍｇ系酸化物半導体、Ｓｎ−Ｍｇ系酸化物半導体、Ｉｎ−Ｍｇ系酸化物半導体や、Ｉｎ−Ｇａ−Ｏ系の材料、一元系金属の酸化物であるＩｎ系酸化物半導体、Ｓｎ系酸化物半導体、Ｚｎ系酸化物半導体などを用いることができる。また、上記酸化物半導体にＩｎとＧａとＳｎとＺｎ以外の元素、例えばＳｉＯ２を含ませてもよい。
【００４７】
例えば、Ｉｎ−Ｇａ−Ｚｎ系酸化物半導体とは、インジウム（Ｉｎ）、ガリウム（Ｇａ）、亜鉛（Ｚｎ）を有する酸化物半導体、という意味であり、その組成比は問わない。
【００４８】
また、酸化物半導体層は、化学式ＩｎＭＯ３（ＺｎＯ）ｍ（ｍ＞０）で表記される薄膜を用いることができる。ここで、Ｍは、Ｚｎ、Ｇａ、Ａｌ、Ｍｎ及びＣｏから選ばれた一または複数の金属元素を示す。例えばＭとして、Ｇａ、Ｇａ及びＡｌ、Ｇａ及びＭｎ、またはＧａ及びＣｏなどがある。
【００４９】
また、酸化物半導体としてＩｎ−Ｚｎ−Ｏ系の材料を用いる場合、用いるターゲットの組成比は、原子数比で、Ｉｎ：Ｚｎ＝５０：１〜１：２（モル数比に換算するとＩｎ２Ｏ３：ＺｎＯ＝２５：１〜１：４）、好ましくはＩｎ：Ｚｎ＝２０：１〜１：１（モル数比に換算するとＩｎ２Ｏ３：ＺｎＯ＝１０：１〜１：２）、さらに好ましくはＩｎ：Ｚｎ＝１５：１〜１．５：１（モル数比に換算するとＩｎ２Ｏ３：ＺｎＯ＝１５：２〜３：４）とする。例えば、Ｉｎ−Ｚｎ系酸化物半導体の形成に用いるターゲットは、原子数比がＩｎ：Ｚｎ：Ｏ＝Ｘ：Ｙ：Ｚのとき、Ｚ＞１．５Ｘ＋Ｙとする。
【００５０】
第１のトランジスタ１２０、及び第２のトランジスタ１１０のスイッチング動作により、第１の電極層１０３へ供給される電圧あるいは電流が制御され、画素１０１からの発光が制御される。なお、第１の電極層１０３は、第１のトランジスタ１２０、及び第２のトランジスタ１１０を覆う平坦化絶縁層１３３上に形成される。
【００５１】
逆テーパ形状の隔壁１１１は、隣接する２つの画素１０１の第１の電極層１０３の端部を覆う隔壁１０９上に形成され、その少なくとも側面の一部が第２の電極層１０７と接触する。また、画素１０１からの発光を単色、好ましくは白色とするため、逆テーパ形状の隔壁１１１は、各画素１０１間に設けなくともよいが、第２の電極層１０７と共通電極とを電気的に接続させる箇所には発光物質を含む有機層１０５が形成されないように逆テーパ形状の隔壁１１１を設ける。
【００５２】
本実施の形態で例示する発光素子は、第１の電極層、第２の電極層、並びに発光物質を含む有機層を備える。第１の電極層と第２の電極層は一方が陽極として機能し、他方が陰極として機能する。発光物質を含む有機層は第１の電極層層と第２の電極層の間に設けられ、該有機層の構成は第１の電極層と第２の電極層の極性、及び材質に合わせて適宜選択すればよい。以下に発光素子の構成の一例を例示するが、発光素子の構成がこれに限定されないことは言うまでもない。発光物質を含む有機層１０５の具体的な積層例を図４に示す。
【００５３】
第１の電極層１０３上には、正孔注入層１４１と、第１発光ユニット１４２と、中間層１４３と、第２発光ユニット１４４と、中間層１４５と、第３発光ユニット１４６と、電子注入層１４７と、第２の電極層１０７とが順次積層されている。
【００５４】
第１発光ユニット１４２、第２発光ユニット１４４、及び第３発光ユニット１４６は、少なくとも発光物質を含む発光層を備えていればよく、発光層以外の層と積層された構造であっても良い。発光層以外の層としては、例えば正孔注入性の高い物質、正孔輸送性の高い物質、正孔輸送性に乏しい（ブロッキングする）物質、電子輸送性の高い物質、電子注入性の高い物質、並びにバイポーラ性（電子及び正孔の輸送性の高い）の物質等を含む層が挙げられる。発光物質としては、例えば、蛍光を発光する蛍光性化合物や燐光を発光する燐光性化合物を用いることができる。赤（Ｒ）緑（Ｇ）青（Ｂ）のすべての発光に燐光性化合物を用いると、高い発光効率を得ることができる。
【００５５】
図４では、第１発光ユニット１４２、第２発光ユニット１４４、及び第３発光ユニット１４６が３つ積層された構成を有する積層型素子を示している。積層型素子の場合において、第１発光ユニット１４２から得られる発光の発光色と、第２発光ユニット１４４から得られる発光の発光色と、第３発光ユニット１４６から得られる発光の発光色と、を補色の関係にすることによって、白色発光を外部に取り出すことができる。なお、第１発光ユニット１４２、第２発光ユニット１４４、及び第３発光ユニット１４６のそれぞれが補色の関係にある複数の発光層を有する構成としても、白色発光が得られる。補色の関係としては、青色と黄色、あるいは青緑色と赤色などが挙げられる。
【００５６】
正孔注入層１４１は、正孔注入性の高い物質を含む層である。正孔注入性の高い物質としては、例えば、モリブデン酸化物やバナジウム酸化物、ルテニウム酸化物、タングステン酸化物、マンガン酸化物等を用いることができる。この他、フタロシアニン（略称：Ｈ２Ｐｃ）や銅フタロシアニン（略称：ＣｕＰｃ）等のフタロシアニン系の化合物を用いることができる。
【００５７】
正孔注入層１４１として、正孔輸送性の高い有機化合物にアクセプター性物質を含有させた複合材料を用いることが好ましい。これらの複合材料は、正孔輸送性の高い物質とアクセプター物質とを共蒸着することにより形成することができる。本実施の形態では、正孔注入層１４１としてモリブデン酸化物と芳香族アミン化合物の複合材料を用いる。
【００５８】
中間層１４３及び中間層１４５は、少なくとも電荷発生領域を含んで形成されていればよく、電荷発生領域以外の層と積層された構成であってもよい。電荷発生領域は、同一膜中に正孔輸送性の高い物質とアクセプター性物質を含有する場合だけでなく、正孔輸送性の高い物質を含む層とアクセプター性物質を含む層とが積層されていても良い。なお、電荷発生領域において、正孔輸送性の高い物質に対して質量比で、０．１以上４．０以下の比率でアクセプター性物質を添加することが好ましい。電荷発生領域に用いるアクセプター性物質としては、遷移金属酸化物や元素周期表における第４族乃至第８族に属する金属の酸化物を挙げることができる。具体的には、酸化モリブデンが特に好ましい。なお、酸化モリブデンは、吸湿性が低いという特徴を有している。また、電荷発生領域に用いる正孔輸送性の高い物質としては、芳香族アミン化合物、カルバゾール誘導体、芳香族炭化水素、高分子化合物（オリゴマー、デンドリマー、ポリマー等）など、種々の有機化合物を用いることができる。具体的には、１０−６ｃｍ２／Ｖｓ以上の正孔移動度を有する物質であることが好ましい。但し、電子よりも正孔の輸送性の高い物質であれば、これら以外のものを用いてもよい。
【００５９】
電子注入層１４７は、電子注入性の高い物質を含む層である。電子注入性の高い物質としては、リチウム（Ｌｉ）、セシウム（Ｃｓ）、カルシウム（Ｃａ）、フッ化リチウム（ＬｉＦ）、フッ化セシウム（ＣｓＦ）、フッ化カルシウム（ＣａＦ２）等のアルカリ金属、アルカリ土類金属、またはこれらの化合物が挙げられる。また、電子輸送性を有する物質中にアルカリ金属又はアルカリ土類金属又はマグネシウム（Ｍｇ）又はそれらの化合物を含有させたもの、例えばＡｌｑ中にマグネシウム（Ｍｇ）を含有させたもの等を用いることもできる。本実施の形態では、第２の電極層１０７の形成時に受けるスパッタダメージを抑えるため、電子注入層１４７としてモリブデン酸化物と芳香族アミン化合物の複合材料を用いる。
【００６０】
図４に示すように、発光物質を含む有機層１０５の一層として電荷発生層を配置すると、電流密度を低く保ったまま高輝度領域での発光が可能である。電流密度を低く保てるため、長寿命な素子を実現できる。また、電極材料の抵抗による電圧降下を小さくできるので、大面積での均一発光が可能となる。
【００６１】
また、本実施の形態の表示装置は、上面発光型の場合であるため、発光物質を含む有機層１０５からの上面発光と、第１の電極層１０３で反射した下面発光とが干渉して特定の波長の光が強めあうように、第１の電極層１０３上に光路長調整膜を形成してもよい。当該光路長調整膜は透光性を有し、発光物質を含む有機層１０５へのキャリアの注入に影響しない膜を用いることが好ましい。
【００６２】
なお、一つの画素１０１は、少なくとも２つのトランジスタを有していれば良く、表示装置の駆動方法、回路構成などにより、複数のトランジスタや、容量素子などの回路素子を有していてもよい。
【００６３】
そして、スパッタ室２１７〜２２０で保護層を第２の電極層上に形成する。そして、保護層の形成を終えた基板は基板ストック室２３８に搬送する。
【００６４】
保護層としては、窒化シリコン膜、酸化シリコン膜、酸化窒化シリコン膜、または酸化アルミニウム膜を用いることができる。スパッタリングターゲットとしてシリコン、酸化シリコン、アルミニウムを用い、スパッタ室内に酸素ガス、または窒素ガスを供給すれば、保護層を形成することができる。また、アンモニアガスや、一酸化二窒素などをスパッタ室に導入して保護層の成膜を行ってもよい。
【００６５】
次いで、さらなる信頼性を向上するため、封止用の基板を用いて封止を行う工程を以下に示す。
【００６６】
封止用の基板は、光学部材（ここではカラーフィルタ）が予め設けられた基板を用い、その基板を基板投入室２２４にセットし、搬送室２３５に設けられた搬送ロボットによりロードロック室２２６に導入する。ロードロック室２２６では、前処理として基板に付着している水分などを除去する真空ベークなどを行う。次いで、シールパターン形成室２３４に搬送し、封止用の基板に所望のシールパターンを形成する。そして、封止用の基板ストック室２４４に搬送する。封止用の基板ストック室２４４ではシール材の仮硬化のためのベークや光照射を行う。
【００６７】
そして、搬送室２３７に設けられた搬送ロボットによって、基板ストック室２３８に収納されている保護層が形成された基板と、封止用の基板ストック室２４４に収納されているシールパターンが形成された封止用の基板とを１枚ずつ取り出して、封止室２３０に搬入する。そして、封止室２３０で２枚の基板の位置合わせを行って貼り合わせて固定する。
【００６８】
最後に、封止用の基板によって封止された発光素子は、基板ストック室２３８または封止室２３０から取り出す。こうして、上方射出型の発光装置を作製することができる。
【００６９】
また、本実施の形態では、チャネル形成領域に酸化物半導体層を用いたトランジスタを用いてアクティブマトリクス型の表示装置の作製例を示したが特に限定されず、チャネル形成領域にアモルファスシリコンや、微結晶シリコンや、ポリシリコンや、単結晶シリコンを用いたトランジスタを用いてもよい。また、形状は大型の矩形形状の基板に限定されず、例えば円形の単結晶シリコン基板やＳＯＩ基板を用いてもよい。基板の形状が異なっていても、蒸着マスクを用いているわけではないため、基板サイズに対応させれば、同じ製造装置を用いてアクティブマトリクス型の表示装置と、該アクティブマトリクス型の表示装置とは異なる基板サイズを用いた照明装置を作製することもできる。
【００７０】
（実施の形態２）
実施の形態１では、アクティブマトリクス型の表示装置の作製例を示したが、本実施の形態では、同じ製造装置を用いて照明装置を作製する例を示す。
【００７１】
第１の電極層（反射電極）、第１の隔壁、及び第２の隔壁が形成されている複数枚の基板を基板投入室２２１、２２２、２２３のいずれか一にセットし、発光素子を形成し、封止を行うまでの流れを以下に簡略に説明する。
【００７２】
基板投入室にセットされた複数の基板を搬送室２３６に設けられた搬送ロボットによりロードロック室２２５に導入する。
【００７３】
ロードロック室２２５では、前処理として基板に付着している水分などを除去する真空ベークなどを行う。次いで、蒸着室２００内に搬送し、蒸着を順次行う。図１では、１４個の蒸着室が直列に接続され、発光物質を含む有機層を適宜成膜する。実施の形態１と同様に白色の発光素子となるように発光物質を含む有機層を形成する。
【００７４】
そして蒸着を終えた基板は、搬送室２３９に搬送され、その後、搬送室２４０を経て搬送室２４１に搬送する。
【００７５】
次いで、本実施の形態では、上方射出型の発光素子を形成する場合であるので、第２の電極層としてＩＴＯなどを用いてスパッタ成膜を行う。スパッタ前室である搬送室２４１では、基板の向きを変えて複数の基板とマスクを基板フォルダにセットし、且つ、スパッタ室内に複数の被処理基板を基板フォルダごと搬送する機構を有する。また、搬送室２４１には、排気手段が接続され、搬送室２４１と連結しているスパッタ室内と同じ真空度となるように減圧が行われる。スパッタ室２１４、２１５、２１６のいずれか一で選択的に第２の電極層を形成する。
【００７６】
図５（Ａ）および図５（Ｂ）に第２の隔壁が設けられた基板に第２の電極層（ＩＴＯなど）をスパッタ成膜する様子を示す。図５（Ａ）はスパッタ室内の断面構造の一部を示しており、第１のスパッタリングターゲット４１１上に重なるように第２のスパッタリングターゲット４１２が配置され、それらの間に基板４００が配置される。基板４００の平面は、第１のスパッタリングターゲット４１１の表面となす角度が約９０°である。また、基板４００には第２の隔壁４１６が設けられ、第１の電極層と第２の電極層の短絡を防止できる。
【００７７】
基板４００の側面及び周縁部は、額縁状の固定部材４１４で保護されており、第２の電極層が成膜されないようにする。特に基板４００の側面及び周縁部は、スパッタリングターゲットに近く、スパッタダメージを受ける恐れがあるため、固定部材４１４で保護することは有用である。
【００７８】
図５（Ｂ）は、スパッタ室内の上面図を示しており、第１のスパッタリングターゲット４１１上に６枚の大型基板が配置されている様子を示している。それぞれの基板４００には額縁状の固定部材４１４で保護されており、覆われていない領域に第２の電極層が形成される。また、バッチ式のスパッタ装置とするため、６枚の基板を一つのカセットに収納して成膜を行ってもよい。ここでは６枚の基板を同時に成膜する例を示したが特に限定されず、基板サイズやスパッタリングターゲットサイズによって適宜変更可能である。
【００７９】
第２の電極層であるＩＴＯ膜の成膜後の断面構造を図５（Ｃ）に示す。ＩＴＯ膜の成膜によって、ＩＴＯ膜が第２の隔壁４１６によって分断される。第２の隔壁４１６は、第２の隔壁を間に挟んで配置された第２の電極層５０８ａ、５０８ｂ、５０８ｃ同士の短絡を防いでいる。
【００８０】
図５（Ｃ）において、基板４００上に、配線５３３が形成され、配線５３３を覆う平坦化層５３４と、平坦化層５３４上に配線５３３と電気的に接続する第１の電極層５０３ａとを有している。また、第１の電極層５０３ａの端部を覆う第１の隔壁５０７と、第１の隔壁５０７上に重なる第２の隔壁４１６が設けられている。第１の隔壁５０７で覆われていない第１の電極層５０３ａの表面に接して発光物質を含む有機層５０２ａが形成され、発光物質を含む有機層５０２ａを覆う第２の電極層５０８ａが形成されて第１の発光素子５１１が形成されている。第１の発光素子の第２の電極層５０８ａは第２の発光素子５１２の第１の電極層５０３ｂに電気的に接続されており、第１の発光素子と第２の発光素子は直列に接続している。また、第２の発光素子の第２の電極層５０８ｂは、隣り合って配置されている第３の発光素子の第１の電極層５０３ｃと電気的に接続されており、第２の発光素子と第３の発光素子は直列に接続している。
【００８１】
また、蒸着マスクを用いることなく、発光物質を含む有機層と、第２の電極層であるＩＴＯ膜の成膜を行うため、第２の隔壁４１６上にも成膜される。蒸着マスクを用いなくとも第２の隔壁４１６によって、第１の発光素子の発光物質を含む有機層５０２ａと、第２の発光素子の発光物質を含む有機層５０２ｂと、第３の発光素子の発光物質を含む有機層５０２ｃとの間隔を空けて形成できる。また、蒸着マスクを用いなくとも第２の隔壁４１６によって、第１の発光素子の第２の電極層５０８ａと、第２の発光素子の第２の電極層５０８ｂと、第３の発光素子の第２の電極層５０８ｃとの間隔を空けて形成できる。
【００８２】
そして、発光素子の第２の電極層の形成を終えた基板は、搬送室２４２に搬送され、その後、スパッタ室２１７〜２２０のいずれか一に導入し、そのスパッタ室で保護層を形成する。そして、保護層の形成を終えた基板は基板ストック室２３８に搬送する。
【００８３】
発光素子の信頼性を向上するため、封止用の透光性を有する基板を用いて封止を行う工程を以下に示す。
【００８４】
封止用の基板は、基板投入室２２４にセットし、搬送室２３５に設けられた搬送ロボットによりロードロック室２２６に導入する。ロードロック室２２６では、前処理として基板に付着している水分などを除去する真空ベークなどを行う。次いで、シールパターン形成室２３４に搬送し、封止用の基板に所望のシールパターンを形成する。そして、封止用の基板ストック室２４４に搬送する。封止用の基板ストック室２４４ではシール材の仮硬化のためのベークや光照射を行う。
【００８５】
そして、搬送室２３７に設けられた搬送ロボットによって、基板ストック室２３８に収納されている保護層が形成された基板と、封止用の基板ストック室２４４に収納されているシールパターンが形成された封止用の基板とを１枚ずつ取り出して、封止室２３０に搬入する。そして、封止室２３０で２枚の基板の位置合わせを行った後、２枚の基板を貼り合わせて固定する。
【００８６】
また、輝度の高い照明装置を作製する場合には、光学部材としてマイクロレンズアレイなどが固定された封止用の基板と封止室２３０で貼り合わせてもよい。また、輝度の均一性の高い照明装置を作製する場合には、光学部材として拡散板などが固定された封止用の基板と封止室２３０で貼り合わせてもよい。
【００８７】
最後に、封止用の基板によって封止された発光素子は、基板ストック室２３８または封止室２３０から取り出す。こうして、上方射出型の発光装置である照明装置を作製することができる。
【００８８】
上方射出型の発光装置である照明装置も、第１の電極層と第２の電極層の間に配置される発光物質を含む有機層の積層順番が、実施の形態１に示した表示装置と同一とすることができるため、共通の製造装置を用いて作製することができる。従って、別々の製造装置を用意しなくてもよいため、表示装置専用の製造装置と照明装置専用の製造装置の合計のフットプリントに比べて、トータルの製造装置のフットプリントを縮小できる。また、有機化合物の材料も有効に利用することができる。
【００８９】
（実施の形態３）
本実施の形態ではフレキシブルなフィルム基板を用いた表示装置の作製方法の一例を以下に示す。
【００９０】
第１の剥離層上にトランジスタを含む層を形成した基板を基板投入室にセットし、発光素子を形成し、第２の剥離層上にカラーフィルタを形成した封止基板を貼りあわせた後、基板を剥離して、フレキシブルな上方射出型の発光装置を作製するまでの流れを以下に簡略に説明する。図６に示す製造装置を用いて、表示装置の断面の一部を図７（Ａ）、図７（Ｂ）、及び図７（Ｃ）を用いて説明する。なお、簡略化のため、図６において図１と同一である部分には同じ符号を用い、図７（Ａ）、図７（Ｂ）、及び図７（Ｃ）において図３（Ｂ）と同一である部分には同じ符号を用いる。
【００９１】
まず、基板１００表面上に剥離層７０１を形成する。剥離層７０１は、後に形成される積層体を基板１００から剥離するために形成する層である。特開２００３−１７４１５３に記載の技術により、トランジスタを可撓性基材またはフレキシブルなフィルム上に設けることが可能である。本実施の形態では、剥離層７０１は、タングステン膜を用いる。なお、フレキシブルなプラスチックフィルム上にＴＦＴを設ける方法は、上述（特開２００３−１７４１５３）に限定されるものではない。例えば、被剥離層と基板との間に剥離層を設け、該剥離層を薬液（エッチャント）或いはエッチングガスで除去して被剥離層と基板とを分離する方法や、被剥離層と基板との間に非晶質シリコン（またはポリシリコン）からなる剥離層を設け、基板を通過させてレーザー光を照射して非晶質シリコンに含まれる水素を放出させることにより、空隙を生じさせて被剥離層と基板を分離させる方法などを用いることが可能である。
【００９２】
次いで、剥離層７０１の表面に薄膜トランジスタの下地絶縁層１２１を形成する。下地絶縁層１２１は、薄膜トランジスタへの汚染を防ぐため、酸化シリコン、窒化シリコン、窒化酸化シリコン（ＳｉＯｘＮｙ）等から選ばれた材料を用いて、単層膜、多層膜で形成することができる。これらの膜はＣＶＤ法やスパッタ法で形成することができる。ただし、剥離層７０１であるタングステン膜と接する下地絶縁層１２１に酸素を含まない膜を用いる場合、熱酸化処理、酸素プラズマ処理、オゾン水等の酸化力の強い溶液による酸化処理により、タングステン膜表面を酸化させて酸化タングステン層を得た後、下地絶縁層１２１を成膜し、後の工程で基板の剥離を行う。
【００９３】
次いで、下地絶縁層１２１上に、実施の形態１と同様に、トランジスタ、第１の電極層、隔壁１０９、及び隔壁１１１を形成する。隔壁１１１を形成した基板を実施の形態１と同様に、製造装置の基板投入室２２１、２２２、２２３のいずれか一にセットする。
【００９４】
そして、蒸着室２００〜２１３に搬送して発光物質を含む有機層１０５を形成した後、スパッタ室２１４〜２１６にて第２の電極層１０７を形成する。
【００９５】
そして、スパッタ室２１７〜２２０で保護層１３８を第２の電極層１０７上に形成する。そして、保護層１３８の形成を終えた基板は基板ストック室２３８に搬送する。
【００９６】
次いで、光学部材（ここではカラーフィルタ）が予め設けられた基板７００を用いて貼り合わせを行う工程を図７を用いて以下に示す。なお、必要があれば、さらに光学部材として偏光フィルムが予め設けられた基板を貼り合わせてもよい。
【００９７】
基板７００には、剥離層７０２が設けられ、剥離層７０２上には、下地絶縁層７０３が設けられている。この剥離層７０２及び下地絶縁層７０３は、基板１００に形成した剥離層７０１と下地絶縁層１２１と同様に作製することができる。
【００９８】
そして、下地絶縁層７０３上にブラックマトリクス７０４と、第１の着色層７０５ａと、第２の着色層７０５ｂと、オーバーコート層７０６が形成される。ブラックマトリクス７０４と、第１の着色層７０５ａと、第２の着色層７０５ｂがカラーフィルタとして機能する。
【００９９】
こうして得られた基板７００を基板投入室２２４にセットし、搬送室２３５に設けられた搬送ロボットによりロードロック室２２６に導入する。ロードロック室２２６では、前処理として基板に付着している水分などを除去する真空ベークなどを行う。次いで、シールパターン形成室２３４に搬送し、基板７００に所望のシールパターンを形成する。本実施の形態では、後の工程で基板の剥離を行うため、基板７００と保護層１３８の間に空気が存在しないようにシール材で充填するようなシールパターンとする。勿論、このシール材は透光性を有する樹脂を用いる。そして、封止用の基板ストック室２４４に搬送する。封止用の基板ストック室２４４ではシール材の仮硬化のためのベークや光照射を行う。
【０１００】
そして、搬送室２３７に設けられた搬送ロボットによって、基板ストック室２３８に収納されている保護層１３８が形成された基板と、封止用の基板ストック室２４４に収納されているシールパターンが形成された基板７００とを１枚ずつ取り出して、封止室２３０に搬入する。そして、封止室２３０で２枚の基板の位置合わせを行って貼り合わせて固定する。
【０１０１】
封止室２３０において、一対の基板がシール材７０７で貼り合わされた状態の断面構造が図７（Ａ）に相当する。
【０１０２】
そして、貼り合わされた一対の基板を第１の剥離室２４５に搬送する。第１の剥離室２４５では、剥離層７０１に接する層との界面における分子の結合力を弱めて基板１００を分離する。本実施の形態では、第１の剥離室２４５において、物理的手段により基板１００を剥離する。物理的手段とは、力学的手段または機械的手段を指し、何らかの力学的エネルギー（機械的エネルギー）を変化させる手段を指しており、その手段は、代表的には機械的な力を加えること（例えば人間の手や把治具で引き剥がす処理や、ローラーを回転させながら分離する処理）である。第１の剥離室２４５には、基板１００の剥離を行うためのきっかけを形成する装置や、基板の剥離を行う装置や、剥離を行った後の基板１００の搬送手段などが設けられている。なお、剥離を行った後の基板１００は、基板ストック室２４６に収納される。
【０１０３】
次いで、第１の貼り合わせ室２４７に搬送し、基板１００が剥離されて下地絶縁層１２１が露出した面に可撓性基材７０９を固定する。可撓性基材７０９は、フィルム供給室２４８から供給し、第１の貼り合わせ室２４７で下地絶縁層１２１との貼り合わせが行われる。
【０１０４】
第１の貼り合わせ室２４７において、可撓性基材７０９が第１の接着材７０８で貼り合わされた状態の断面構造が図７（Ｂ）に相当する。
【０１０５】
次いで、貼り合わされた一対の基板を第２の剥離室２４９に搬送する。第２の剥離室２４９では、基板７００の剥離を行い、剥離を行った後の基板７００は、基板ストック室２５０に収納される。第２の剥離室２４９には、基板７００の剥離を行うためのきっかけを形成する装置や、基板の剥離を行う装置や、剥離を行った後の基板７００の搬送手段などが設けられている。本実施の形態では、第２の剥離室２４９において、物理的手段により基板７００を剥離する。
【０１０６】
次いで、第２の貼り合わせ室２５１に搬送し、剥離されて下地絶縁層７０３が露出した面に可撓性基材７１１を固定する。可撓性基材７１１は、フィルム供給室２５２から供給し、第２の貼り合わせ室２５１で下地絶縁層７０３との貼り合わせが行われる。
【０１０７】
可撓性基材７０９及び可撓性基材７１１は、樹脂材料を用いることができ、例えば、ポリエステル、ポリプロピレン、ポリ塩化ビニル、ポリスチレン、ポリアクリロニトリル、ポリエチレンテレフタレート、ポリアミドを用いることができる。また、基材フィルムは、接着性合成樹脂フィルムであるアクリル樹脂、エポキシ樹脂、酢酸ビニル樹脂、ビニル共重合樹脂、ウレタン樹脂等を用いることができる。また、本実施の形態では、上方射出型の発光装置であるため、可撓性基材７０９は、透光性を有していない金属フィルムを用いることができ、例えばステンレスからなるフィルムを用いることがきる。可撓性基材７０９として、ステンレスからなるフィルムを用いると水分などを遮断できるため発光素子の信頼性が向上し、発光素子やトランジスタで発熱した熱を放熱することもできる。
【０１０８】
第２の貼り合わせ室２５１において、可撓性基材７１１が第２の接着材７１０で貼り合わされた状態の断面構造が図７（Ｃ）に相当する。
【０１０９】
そして、貼り合わせを終えた一対の可撓性基材は、取り出し室２５３に搬送して製造装置から取り出される。以上のように、図６に示す製造装置を用いることによって、一対の可撓性基材を用いたフレキシブルな表示装置が完成する。
【０１１０】
また、本実施の形態は、他の実施の形態と自由に組み合わせることができる。例えば、実施の形態２と組み合わせることで、一対の可撓性基材を用いたフレキシブルな照明装置を作製することができる。
【符号の説明】
【０１１１】
１１    第１のスパッタリングターゲット
１２    第２のスパッタリングターゲット
１３    基板
１４    固定部材
１５    基板フォルダ
１０１    画素
１００    基板
１０３    電極層
１０５    有機層
１０７    電極層
１０９    隔壁
１１０    トランジスタ
１１１    隔壁
１２０    トランジスタ
１２１    下地絶縁層
１２３    酸化物半導体層
１２５    ゲート電極
１２７    ドレイン電極
１２９    ソース電極
１３１    ゲート絶縁層
１３３    平坦化絶縁層
１３８    保護層
１４１    正孔注入層
１４２    発光ユニット
１４３    中間層
１４４    発光ユニット
１４５    中間層
１４６    発光ユニット
１４７    電子注入層
２００    蒸着室
２０１〜２１３    蒸着室
２１４〜２１６    スパッタ室
２１７〜２２０    スパッタ室
２２１〜２２３    基板投入室
２２４    基板投入室
２２５    ロードロック室
２２６    ロードロック室
２３０    封止室
２３４    シールパターン形成室
２３５    搬送室
２３６    搬送室
２３７    搬送室
２３８    基板ストック室
２３９    搬送室
２４０    搬送室
２４１    搬送室
２４２    搬送室
２４４    基板ストック室
２４５    剥離室
２４６    基板ストック室
２４７    第１の貼り合わせ室
２４８    フィルム供給室
２４９    剥離室
２５０    基板ストック室
２５１    第２の貼り合わせ室
２５２    フィルム供給室
２５３    取り出し室
４００    基板
４１１    スパッタリングターゲット
４１２    スパッタリングターゲット
４１４    固定部材
４１６    隔壁
５０２ａ    有機層
５０２ｂ    有機層
５０２ｃ    有機層
５０３ａ    電極層
５０３ｂ    電極層
５０３ｃ    電極層
５０８ａ    電極層
５０８ｂ    電極層
５０８ｃ    電極層
５０７    隔壁
５１１    発光素子
５１２    発光素子
５３３    配線
５３４    平坦化層
７００    基板
７０１    剥離層
７０２    剥離層
７０３    下地絶縁層
７０４    ブラックマトリクス
７０５ａ    着色層
７０５ｂ    着色層
７０６    オーバーコート層
７０７    シール材
７０８    接着材
７０９    可撓性基材
７１０    接着材
７１１    可撓性基材
【図１】
2012186158.tif 000003
【図２】
2012186158.tif 000004
【図３】
2012186158.tif 000005
【図４】
2012186158.tif 000006
【図５】
2012186158.tif 000007
【図６】
2012186158.tif 000008
【図７】
2012186158.tif 000009